(57)【要約】【課題】印刷対象となる主印刷画像を印刷媒体に印刷する際に、印刷媒体の端辺領域に付箋画像を印刷しない場合に比べて、印刷媒体の区別を付けやすくする。【解決手段】画像処理装置の構成として、印刷対象となる主印刷画像に対して、当該主印刷画像が印刷される印刷媒体の余白部分を含む端辺領域に付加される付箋画像の印刷条件を設定する印刷条件設定部２３と、この印刷条件設定部２３で設定した印刷条件に基づいて、主印刷画像と付箋画像とを合成する画像合成部２６とを備える。【選択図】図３
2009015559.tif 000002
【特許請求の範囲】
【請求項１】
印刷対象となる主印刷画像に対して、当該主印刷画像が印刷される印刷媒体の余白部分を含む端辺領域に付加される付箋画像の印刷条件を設定する印刷条件設定手段と、
前記印刷条件設定手段で設定した前記印刷条件に基づいて、前記主印刷画像と前記付箋画像とを合成する合成手段と
を備えることを特徴とする画像処理装置。
【請求項２】
前記印刷条件設定手段は、前記付箋画像の印刷条件として、前記付箋画像の印刷文字列、印刷色、印刷位置、印刷寸法のうちの少なくとも１つを設定する
ことを特徴とする請求項１記載の画像処理装置。
【請求項３】
所定の印刷単位毎に前記付箋画像の印刷条件を変更する変更手段を有する
ことを特徴とする請求項１記載の画像処理装置。
【請求項４】
前記所定の印刷単位が一つの印刷作業の中で区分される章単位である
ことを特徴とする請求項３記載の画像処理装置。
【請求項５】
前記変更手段は、前記付箋画像の印刷条件を予め用意された選択候補の中で循環的に変更する
ことを特徴とする請求項３記載の画像処理装置。
【請求項６】
前記変更手段は、前記印刷条件に応じて、前記付箋画像の印刷色及び／又は印刷位置を変更する
ことを特徴とする請求項３記載の画像処理装置。
【請求項７】
前記変更手段は、印刷形態が白黒印刷である場合に、前記付箋画像の印刷位置を変更する
ことを特徴とする請求項６記載の画像処理装置。
【請求項８】
前記変更手段は、印刷形態が多色印刷である場合に、前記付箋画像の印刷色を変更する
ことを特徴とする請求項６記載の画像処理装置。
【請求項９】
前記印刷条件設定手段は、前記印刷条件の設定項目として、前記付箋画像を付加する頁番号を含む
ことを特徴とする請求項２記載の画像処理装置。
【請求項１０】
前記印刷条件設定手段は、前記付箋画像の印刷文字列として、前記主印刷画像の属性情報を設定する
ことを特徴とする請求項２記載の画像処理装置。
【請求項１１】
前記属性情報が前記主印刷画像の見出し語である
ことを特徴とする請求項１０記載の画像処理装置。
【請求項１２】
前記合成手段で合成した画像を前記印刷媒体に印刷する印刷手段を具備する
ことを特徴とする請求項１記載の画像処理装置。
【請求項１３】
端末装置と印刷装置とを通信手段を介して接続してなる画像処理システムであって、
前記端末装置又は前記印刷装置は、
印刷対象となる主印刷画像に対して、当該主印刷画像が印刷される印刷媒体の余白部分を含む端辺領域に付加される付箋画像の印刷条件を設定する印刷条件設定手段と、
前記印刷条件設定手段で設定した前記印刷条件に基づいて、前記主印刷画像と前記付箋画像とを合成する合成手段と
を備えることを特徴とする画像処理システム。
【請求項１４】
印刷対象となる主印刷画像に対して、当該主印刷画像が印刷される印刷媒体の余白部分を含む端辺領域に付加される付箋画像の印刷条件を設定する印刷条件設定手段、
前記印刷条件設定手段で設定した前記印刷条件に基づいて、前記主印刷画像と前記付箋画像とを合成する合成手段
としてコンピュータを機能させるためのプログラム。
【発明の詳細な説明】
【技術分野】
【０００１】
本発明は、画像処理装置及びプログラムに関する。
【背景技術】
【０００２】
従来技術の一つとして、例えば下記特許文献１には、表データの設定位置に合わせてラベル名を最適な位置に印刷するために、フォーム情報メモリに記憶された表データの最右端に存在する縦罫線の座標データに基づいて、１ページ上における表データの出力範囲をサーチ部により検出し、検出された出力範囲に揃うラベル名の出力位置を計算部により演算し、フォーム情報メモリに設定する手段を備えるデータ出力装置が提案されている。
【０００３】
【特許文献１】特開平５−６１８６１号公報
【発明の開示】
【発明が解決しようとする課題】
【０００４】
本発明は、印刷対象となる主印刷画像を印刷媒体に印刷する際に、印刷媒体の端辺領域に付箋画像を印刷しない場合に比べて、印刷媒体の区別を容易に付けることができる仕組みを提供することを目的とする。
【課題を解決するための手段】
【０００５】
請求項１に記載の発明は、印刷対象となる主印刷画像に対して、当該主印刷画像が印刷される印刷媒体の余白部分を含む端辺領域に付加される付箋画像の印刷条件を設定する印刷条件設定手段と、前記印刷条件設定手段で設定した前記印刷条件に基づいて、前記主印刷画像と前記付箋画像とを合成する合成手段とを備えることを特徴とする画像処理装置である。
【０００６】
請求項２に記載の発明は、請求項１記載の画像処理装置において、前記印刷条件設定手段は、前記付箋画像の印刷条件として、前記付箋画像の印刷文字列、印刷色、印刷位置、印刷寸法のうちの少なくとも１つを設定することを特徴とする。
【０００７】
請求項３に記載の発明は、請求項１記載の画像処理装置において、所定の印刷単位毎に前記付箋画像の印刷条件を変更する変更手段を有することを特徴とする。
【０００８】
請求項４に記載の発明は、請求項３記載の画像処理装置において、前記所定の印刷単位が一つの印刷作業の中で区分される章単位であることを特徴とする。
【０００９】
請求項５に記載の発明は、請求項３記載の画像処理装置において、前記変更手段は、前記付箋画像の印刷条件を予め用意された選択候補の中で循環的に変更することを特徴とする。
【００１０】
請求項６に記載の発明は、請求項３記載の画像処理装置において、前記変更手段は、前記印刷条件に応じて、前記付箋画像の印刷色及び／又は印刷位置を変更することを特徴とする。
【００１１】
請求項７に記載の発明は、請求項６記載の画像処理装置において、前記変更手段は、印刷形態が白黒印刷である場合に、前記付箋画像の印刷位置を変更することを特徴とする。
【００１２】
請求項８に記載の発明は、請求項６記載の画像処理装置において、前記変更手段は、印刷形態が多色印刷である場合に、前記付箋画像の印刷色を変更することを特徴とする。
【００１３】
請求項９に記載の発明は、請求項２記載の画像処理装置において、前記印刷条件設定手段は、前記印刷条件の設定項目として、前記付箋画像を付加する頁番号を含むことを特徴とする。
【００１４】
請求項１０に記載の発明は、請求項２記載の画像処理装置において、前記印刷条件設定手段は、前記付箋画像の印刷文字列として、前記主印刷画像の属性情報を設定することを特徴とする。
【００１５】
請求項１１に記載の発明は、請求項１０記載の画像処理装置において、前記属性情報が前記主印刷画像の見出し語であることを特徴とする。
【００１６】
請求項１２に記載の発明は、請求項１記載の画像処理装置において、前記合成手段で合成した画像を前記印刷媒体に印刷する印刷手段を具備することを特徴とする。
【００１７】
請求項１３に記載の発明は、端末装置と印刷装置とを通信手段を介して接続してなる画像処理システムであって、前記端末装置及び／又は前記印刷装置は、印刷対象となる主印刷画像に対して、当該主印刷画像が印刷される印刷媒体の余白部分を含む端辺領域に付加される付箋画像の印刷条件を設定する印刷条件設定手段と、前記印刷条件設定手段で設定した前記印刷条件に基づいて、前記主印刷画像と前記付箋画像とを合成する合成手段とを備えることを特徴とする。
【００１８】
請求項１４に記載の発明は、印刷対象となる主印刷画像に対して、当該主印刷画像が印刷される印刷媒体の余白部分を含む端辺領域に付加される付箋画像の印刷条件を設定する印刷条件設定手段、前記印刷条件設定手段で設定した前記印刷条件に基づいて、前記主印刷画像と前記付箋画像とを合成する合成手段としてコンピュータを機能させるためのプログラムである。
【発明の効果】
【００１９】
請求項１に記載の発明によれば、印刷媒体の端辺領域に所望の印刷条件で付箋画像を付加した主印刷画像を印刷媒体に印刷させることができる。このため、印刷媒体の端辺領域に付箋画像を印刷しない場合に比べて、印刷済みの印刷媒体を束ねたときに、印刷媒体の区別が付きやすくなる。
【００２０】
請求項２に記載の発明によれば、付箋画像の印刷条件として、付箋画像の印刷文字列を設定する場合は、所望の文字列で付箋画像を印刷することができ、付箋画像の印刷色を設定する場合は、所望の色で付箋画像を印刷することができ、付箋画像の印刷位置を設定する場合は、所望の位置に付箋画像を印刷することができ、付箋画像の印刷寸法を設定する場合は、所望の寸法で付箋画像を印刷することができる。
【００２１】
請求項３に記載の発明によれば、付箋画像を付加して印刷した印刷媒体同士を束ねたときに、付箋画像の印刷条件の違いから、印刷単位毎の区別が付きやすくなる。
【００２２】
請求項４に記載の発明によれば、付箋画像を付加して印刷した印刷媒体同士を束ねたときに、付箋画像の印刷条件の違いから、章毎の区別が付きやすくなる。
【００２３】
請求項５に記載の発明によれば、予め用意された選択候補を最大限に活用して付箋画像の印刷条件を変更することができる。
【００２４】
請求項６に記載の発明によれば、付箋画像の印刷条件として、付箋画像の印刷色を変更する場合は、印刷単位毎に異なる色で付箋画像を印刷させることができ、付箋画像の印刷位置を変更する場合は、印刷単位毎に異なる位置に付箋画像を印刷させることができる。
【００２５】
請求項７に記載の発明によれば、印刷画像が白黒印刷である場合は、印刷単位毎に付箋画像の印刷位置を変更することで、印刷単位毎の区別を明確に付けることができる。
【００２６】
請求項８に記載の発明によれば、印刷画像が多色印刷である場合は、印刷単位毎に付箋画像の印刷色を変更することで、印刷単位毎の区別を明確に付けることができる。
【００２７】
請求項９に記載の発明によれば、主印刷画像に対して所望の頁に付加画像を付加することができる。
【００２８】
請求項１０に記載の発明によれば、主印刷画像の属性情報に関連付けて付箋画像の印刷文字列を印刷することができる。
【００２９】
請求項１１に記載の発明によれば、付箋画像に印刷された文字列から、主印刷画像の内容を把握することができる。
【００３０】
請求項１２に記載の発明によれば、印刷媒体の端辺領域に所望の印刷条件で付箋画像を付加した印刷媒体を得ることができる。
【００３１】
請求項１３又は請求項１４に記載の発明によれば、印刷媒体の端辺領域に所望の印刷条件で付箋画像を付加した主印刷画像を印刷媒体に印刷させることができる。このため、印刷媒体の端辺領域に付箋画像を印刷しない場合に比べて、印刷済みの印刷媒体を束ねたときに、印刷媒体の区別が付きやすくなる。
【発明を実施するための最良の形態】
【００３２】
以下、本発明の具体的な実施の形態について図面を参照しつつ詳細に説明する。
【００３３】
＜画像処理システムの構成＞
図１は本発明が適用される画像処理システムの構成例を示す概略図である。図示した画像処理システムは、２台の端末装置１と１台の印刷装置２が、通信手段としてのネットワーク３を介して相互に通信可能に接続されている。端末装置１と印刷装置２の設置台数は、それぞれ任意に変更してもよい。
【００３４】
端末装置１は、印刷装置２が提供する印刷サービスを利用するクライアントとなるもので、例えばパーソナルコンピュータ等を用いて構成されるものである。印刷装置２は、所定の印刷方式（例えば、電子写真方式、インクジェット方式など）にしたがって用紙等の印刷媒体に印刷出力を行なうプリンタ等を用いて構成されるものである。ネットワーク３は、例えば、ＬＡＮ(Local Area Network)、ＷＡＮ(Wide Area Network)などによって構成されるものである。ネットワーク３は、有線でも無線でもかまわない。
【００３５】
上記画像処理システムにおいては、印刷のためのデータが、端末装置１からネットワーク３を介して印刷装置２に転送される仕組みになっている。
【００３６】
＜端末装置の構成＞
図２は端末装置の構成例を示すブロック図である。図示のように端末装置１は、コンピュータのハードウェア資源として、ＣＰＵ(Central Processing Unit)１１、ＲＯＭ(Read-Only Memory)１２、ＲＡＭ(Random Access Memory)１３、ＨＤＤ(Hard Disk Drive)１４、入力装置１５、出力装置１６などを備え、これらの構成要素がバスライン１７を介して相互に接続されている。
【００３７】
ＣＰＵ１１は、ＲＯＭ１２又はＨＤＤ１４に格納（記憶）された各種のプログラムをＲＡＭ１３に読み出して実行することにより、各種の処理を行なうものである。ＲＯＭ１２は、ＣＰＵ１１によって実行されるプログラムを格納するものである。ＲＡＭ１３は、ＣＰＵ１１がプログラムを実行する際の作業領域として利用されるものである。
【００３８】
ＨＤＤ１４は、ＣＰＵ１１によって実行されるプログラムや各種のデータを格納する補助記憶装置である。ＨＤＤ１４に格納されるプログラムは、大きくは、オペレーティングシステム（ＯＳ）とアプリケーションプログラムに分けられる。オペレーティングシステムは、コンピュータ資源の管理を行なうものである。アプリケーションプログラムは、オペレーティングシステムによってＲＡＭ１３上に読み出されて実行されるものである。なお、補助記憶装置としては、ＨＤＤ１４の他に、例えば光ディスクや磁気ディスクなどの記録媒体に対してデータの読み出しや書き込みを行なうドライブを備えたものであってもよい。
【００３９】
入力装置１５は、コンピュータに情報を入力するものである。入力装置１５は、例えば、キーボード、マウス、タブレットなどで構成されるものである。
【００４０】
表示装置１６は、コンピュータで処理する情報を出力するものである。表示装置１６は、例えば、コンピュータで処理する情報を画面に表示出力するディスプレイなどで構成されるものである。
【００４１】
図３は端末装置の機能的な構成を示すブロック図である。端末装置１は、制御部２０と、画像入力部２１と、印刷指示受付部２２と、印刷条件設定部２３と、印刷単位識別部２４と、付箋画像生成部２５と、画像合成部２６、画像転送部２７とを備えた構成となっている。制御部２０は、端末装置１全体の処理動作を統括的に制御するものである。
【００４２】
画像入力部２１は、印刷の対象となる主印刷画像を入力する部分である。画像入力部２１は、例えば、原稿の画像を光学的に読み取るイメージスキャナーから画像データを受け取ったり、ネットワーク３上の図示しない他の端末装置１から転送される画像データを受け取ったり、自装置のＨＤＤ１４から画像データを読み出したりすることにより、印刷対象となる主印刷画像を入力するものである。
【００４３】
印刷指示受付部２２は、端末装置１の使用者から印刷指示を受け付けるものである。印刷指示受付部２２は、端末装置１の使用者が、印刷対象となる主印刷画像や、ネットワーク３上で主印刷画像の印刷出力先となる印刷装置２などを選択すると、これを印刷指示として受け付ける。印刷対象となる主印刷画像は、例えば、自装置のＨＤＤ１４やネットワーク３上の他の端末装置１に格納された画像ファイルを単位として、任意の数の画像ファイルが選択される。印刷対象として選択される画像ファイルとしては、例えば、ドキュメントファイル、イメージファイル、テキストファイルなどが代表例として考えられるが、これ以外のものであってもよい。
【００４４】
印刷条件設定部２３は、画像入力部２１から入力される主印刷画像を印刷する際に適用される印刷条件を設定するものである。印刷条件の設定は、上記の表示装置１６に印刷条件の設定用画面を表示し、この設定用画面にしたがって使用者が入力装置１５で入力操作（選択、キー入力等）した内容に基づいて行なわれる。印刷条件として設定される項目としては、例えば、印刷媒体として使用する用紙の種類（寸法、紙質）や、白黒／多色（カラー）などの印刷形態の他に、付箋画像の印刷条件も含まれる。
【００４５】
付箋画像とは、印刷媒体として使用された印刷済みの用紙を複数枚重ね合わせて束ねたときに、目印となり得るラベル状の画像である。付箋画像は、主印刷画像と区別しやすいように塗りつぶし画像とするのがよい。ここで記述する「塗りつぶし画像」は、所定の印刷濃度で均一（ベタ）に塗りつぶされた画像（中間色画像を含む）の他に、細かな網掛け処理や網点処理、モザイク処理などの模様が施された種々の画像を含むものである。
【００４６】
付箋画像は、印刷対象となる主印刷画像に対して付加される画像である。付箋画像が付加される領域は、印刷媒体の印刷頁領域内でかつ余白部分を含む端辺領域となる。印刷頁領域は、図４に示すように、印刷媒体Ｓの縦／横（長辺、短辺）の寸法Ｌ１，Ｌ２によって決まる領域である。例えば、印刷媒体ＳとしてＡ４版の用紙を用いる場合は、（Ｌ１×Ｌ２）＝（２９７ｍｍ×２１０ｍｍ）で規定される領域が印刷頁領域となる。余白部分Ｐｎは、印刷媒体Ｓ（印刷頁領域）の上下／左右にそれぞれ所定の寸法で設定されるものである。主印刷画像は印刷頁領域の印刷範囲Ｐｅ内に印刷され、余白部分Ｐｎは印刷範囲Ｐｅ外に設定される。印刷範囲Ｐｅは、上述のように印刷媒体Ｓの上下／左右にそれぞれ所定の寸法で余白部分Ｐｎを設定する場合に、当該余白部分Ｐｎで囲まれる内側の部分をいう。このため、主印刷画像は、印刷媒体Ｓの印刷頁領域において、余白部分Ｐｎに印刷されることはない。
【００４７】
付箋画像は、上述した印刷頁領域の端辺領域において、余白部分だけに印刷されるものであってもよいし、印刷範囲と余白部分に跨って印刷されるものであってもよい。印刷範囲と余白部分に跨って付箋画像を印刷する場合は、印刷範囲に印刷される主印刷画像と付箋画像との重なりの有無を判断し、両者の印刷位置が重なる場合は、付箋画像の印刷位置及び／又は印刷寸法を補正することが望ましい。また、付箋画像は印刷媒体の端辺領域で縁の部分まで印刷されることが望ましい。さらに、上記図４において、印刷媒体Ｓの相対応する２つの平行な端辺のうち、一方の端辺側をファイリング（パンチング、ステープル、糊付けなど）のための綴じ側とし、他方の端辺側を見開き側とすると、付箋画像は見開き側の端辺領域に印刷されることが望ましい。
【００４８】
付箋画像の印刷条件は、印刷対象として選択された主印刷画像に付箋画像を付加して印刷するかどうかの条件に加えて、付箋画像を印刷する場合に適用される付箋画像の印刷色、印刷文字列、印刷位置、印刷寸法のうち、少なくとも一つを含むものである。付箋画像の印刷色は、付箋画像を塗りつぶし画像で印刷する場合に、塗りつぶしの色となる。付箋画像の印刷文字列は、付箋画像の印刷色とは異なる色又は濃度で付箋画像の中に印刷される文字列となる。付箋画像の印刷位置は、付箋画像が印刷される印刷媒体の端辺領域において、当該端辺に沿う方向で付箋画像が印刷される位置となる。付箋画像の印刷寸法は、付箋画像を矩形の画像で印刷する場合に、付箋画像の大きさを規定する縦／横の寸法となる。本実施形態においては、付箋画像を矩形の画像とするが、これに限らず、矩形以外の画像で付箋画像を印刷してもかまわない。
【００４９】
印刷単位識別部２４は、例えば、印刷作業（以下、「ジョブ」と記す）を一つの単位として、印刷単位を識別するものである。印刷ジョブは、例えば、上述したように印刷対象となる主印刷画像が画像ファイル単位で選択される場合に、個々の画像ファイルの印刷頁数に関係なく、一つの画像ファイルを印刷処理するための作業単位と規定するものとなる。このため、印刷ジョブの数と画像ファイルの数は１：１の対応関係となる。
【００５０】
したがって、例えば、印刷頁数が３頁の「画像ファイルａ」と、印刷頁数が５頁の「画像ファイルｂ」と、印刷頁数が１頁の「画像ファイルｃ」をそれぞれ印刷対象として画像入力部２１から連続して順に入力した場合、印刷単位識別部２４は、印刷ジョブ数を合計３個として認識するとともに、印刷頁数を１頁目から数えて、３頁目と４頁目の間を画像ファイルａと画像ファイルｂを区分位置と認識し、かつ８頁目と９頁目の間を画像ファイルｂと画像ファイルｃの区分位置と認識することになる。
【００５１】
付箋画像生成部２５は、印刷条件設定部２３で設定された印刷条件に基づいて付箋画像を生成するものである。付箋画像を生成するために必要となるデータは、自装置のＨＤＤ１４に格納されている。
【００５２】
画像合成部２６は、画像入力部２１から入力された主印刷画像と付箋画像生成部２５で生成された付箋画像とを合成するものである。
【００５３】
画像転送部２７は、画像合成部２６で合成された画像（付箋画像付き）データを印刷装置２に転送するものである。
【００５４】
上記図３に示す各々の機能部（２０〜２７）は、コンピュータを用いてソフトウェア的に実現してもよく、そのためのプログラムを発明として抽出してもよい。プログラムは、記録媒体に格納されて提供されてもよいし、有線あるいは無線による通信手段を介した配信により提供されてもよい。このプログラムは、例えばクライアントドライバ（プリンタドライバ）として端末装置１にインストール等によって組み込まれる。
【００５５】
＜画像処理方法＞
図５及び図６は端末装置１の処理手順（画像処理方法）の一例を示すフローチャートである。
【００５６】
まず、印刷指示受付部２２で印刷指示を受け付ける（ステップＳ１）。このステップＳ１においては、少なくとも、印刷対象となる主印刷画像を指定する情報（例えば、画像ファイルのファイル名や画像ファイルの格納場所を示すアドレス情報など）や、当該主印刷画像の印刷出力に使用される印刷装置２を指定する情報などを含む印刷指示を受け付ける。
【００５７】
次に、印刷条件設定部２３で印刷条件を設定する（ステップＳ２）。このステップＳ２においては、自装置の表示装置１６に印刷条件の設定用画面を表示し、この設定用画面にしたがって使用者が入力装置１５で入力操作した内容に基づいて印刷条件を設定する。その際、印刷条件設定部２３は、印刷条件の一つとして、例えば図７に示す設定用画面を表示装置１６に表示し、この設定用画面にしたがって使用者が入力装置１５で入力操作した内容に基づいて付箋画像の印刷条件を設定する。
【００５８】
上記図７に例示する設定用画面は、付箋画像を付加して印刷するかどうかの設定に加えて、付箋画像の印刷色、印刷文字列、印刷位置、印刷寸法などの設定項目を含んでいる。具体的には、付箋画像を「ラベル」と呼称し、付箋画像を付加して印刷するかどうかは、「ラベルを付加する」と表記された項目で、使用者がチェックボックス３１にチェックを入れたり外したりすることで設定される。また、付箋画像の印刷色は、「ラベルの色」と表記された項目で、使用者がボタン３２を押下（マウスでクリック）したときにプルダウンで表示される複数の印刷色の選択候補の中から所望の色を選択することで設定される。付箋画像の印刷文字列は、「ラベル文字列」と表記された項目で、使用者が文字入力欄３３に所望の文字列を入力することで設定される。
【００５９】
付箋画像の印刷位置は、「位置」と表記された項目で、使用者がボタン３４を押下したときにプルダウンで表示される複数の印刷位置の中から所望の位置を選択することで設定される。さらに、「位置」と表記された項目の枠内には、「ジョブ毎にラベルを変える」と表記された項目が用意されている。この項目は、印刷のジョブ毎に付箋画像の印刷条件を変更するかどうかを設定するための項目となる。すなわち、「ジョブ毎にラベルを変える」と表記された項目で、使用者がチェックボックス３５にチェックを入れたり外したりすることで、印刷のジョブ毎に付箋画像の印刷条件を変更するかどうかが設定される。
【００６０】
付箋画像の印刷寸法は、「ラベルのサイズ」と表記された項目で、使用者がボタン３６を押下したときにプルダウンで表示される複数の印刷寸法の中から所望の寸法を選択することで設定される。また、付箋画像の印刷文字列に適用される文字の書式（フォント、色、サイズ）は、「文字」と表記された項目の枠内で、「フォント」、「色」、「サイズ」と表記された各項目につき、使用者が対応するボタン３７，３８，３９を押下したときにプルダウンで表示される複数の選択候補の中から所望のフォント、色、サイズを個別に選択することで設定される。
【００６１】
また、上記の設定用画面は、現在設定されている付箋画像の印刷条件を反映したプレビュー画面４０を含むものとなっている。このプレビュー画面４０に表示される付箋画像４１の表示形態は、上述した各種の設定項目のうち、いずれかの設定項目を使用者が変更すると、これに応じて自動的に変更されるようになっている。
【００６２】
上記の設定用画面を用いて付箋画像の印刷条件を設定した後は、使用者からの入力操作（例えば、図示しない印刷設定用画面に設けられた「ＯＫ」ボタンをマウスのクリックによって選択する操作など）を受けて、上記ステップＳ１で受け付けた印刷指示と上記ステップＳ２で設定した印刷条件を制御部２０で確定する（ステップＳ３）。
【００６３】
次に、上記ステップＳ２で設定した印刷条件の中で、付箋画像を印刷する旨の設定がなされているかどうかを制御部２０で判断する（ステップＳ４）。具体的には、上記の設定用画面において、「ラベルを付加する」と表記された項目のチェックボックス３１にチェックが入っている場合は、付箋画像を印刷する旨の設定がなされていると判断してステップＳ８に移行し、チェックボックス３１にチェックが入っていない場合は、付箋画像を印刷する旨の設定がなされていないと判断してステップＳ５に進む。
【００６４】
ステップＳ５においては、上記ステップＳ１での印刷指示で指定された主印刷画像を画像入力部２１から入力する。画像入力部２１からは、画像ファイルを一つの入力単位として主印刷画像が入力される。
【００６５】
次に、画像転送部２７では、ステップＳ５で画像入力部２１から入力された主印刷画像を、上記ステップＳ１での印刷指示で指定された印刷装置２にネットワーク３を介して転送する（ステップＳ６）。
【００６６】
次に、制御部２０は、上記ステップＳ１での印刷指示で指定されたすべての主印刷画像の転送を終えたかどうかを判断する（ステップＳ７）。例えば、印刷指示で指定された主印刷画像の個数（ファイル数）が３個であれば、３個の主印刷画像の転送を終えたかどうかを判断する。そして、すべての主印刷画像の転送を終えていない場合は、上記ステップＳ５に戻って同様の処理を繰り返し、すべての主印刷画像の転送を終えた場合は、その段階で一連の処理を終える。
【００６７】
一方、ステップＳ８においては、上記ステップＳ５と同様に、上記ステップＳ１での印刷指示で指定された主印刷画像を画像入力部２１から入力する。
【００６８】
次に、付箋画像の印刷条件として、ジョブ毎に付箋画像の印刷条件を変更する旨の設定がなされているかどうかを制御部２０で判断する（ステップＳ９）。具体的には、上記の設定用画面において、「ジョブ毎にラベルを変える」と表記された項目のチェックボックス３５にチェックが入っている場合は、ジョブ毎に付箋画像の印刷条件を変更する旨の設定がなされていると判断してステップＳ１０に進み、チェックボックス３５にチェックが入っていない場合は、ジョブ毎に付箋画像の印刷条件を変更する旨の設定がなされていないと判断してステップＳ１４に移行する。
【００６９】
ステップＳ１０においては、上記ステップＳ８で画像入力部２１から入力された主印刷画像が１個目の画像であるかどうかを印刷単位識別部２４で判断する。印刷単位識別部２４は、上記ステップＳ１での印刷指示で印刷対象に指定された主印刷画像の個数が１個だけである場合は、その主印刷画像を１個目の画像として認識し、複数個の主印刷画像が指定された場合は、当該複数個の主印刷画像の中で最初に画像入力部２１から入力される主印刷画像を１個目の画像として認識する。そして、画像入力部２１から入力された主印刷画像が１個目の画像であれば、ステップＳ１４に移行し、１個目の画像でなければ、ステップＳ１１に進む。
【００７０】
ステップＳ１１においては、上記ステップＳ２での印刷条件で、印刷形態が白黒印刷に設定されているかどうかを制御部２０で判断する。そして、印刷形態が白黒印刷に設定されている場合は、付箋画像の印刷位置を変更し（ステップＳ１２）、印刷形態が白黒印刷ではなく多色印刷に設定されている場合は、付箋画像の印刷色を変更する（ステップＳ１３）。
【００７１】
ステップＳ１２における付箋画像の印刷位置の変更は、当該変更前に適用した付箋画像の印刷位置に対して、当該変更後に適用する付箋画像の印刷位置が異なる位置となる条件で行なわれる。すなわち、変更前に適用した付箋画像の印刷位置を「第１の位置」とし、変更後に適用する付箋画像の印刷位置を「第２の位置」とすると、「第１の位置」と「第２の位置」は互いに異なる位置となる。
【００７２】
また、ステップＳ１３における付箋画像の印刷色の変更は、当該変更前に適用した付箋画像の印刷色に対して、当該変更後に適用する付箋画像の印刷色が異なる色となる条件で行なわれる。すなわち、変更前に適用した付箋画像の印刷色を「第１の色」とし、変更後に適用する付箋画像の印刷色を「第２の色」とすると、「第１の色」と「第２の色」は互いに異なる色となる。
【００７３】
また、上記ステップＳ１での印刷指示で３個以上の主印刷画像が印刷対象として指定された場合は、ステップＳ１２における印刷位置の変更や、ステップＳ１３における印刷色の変更が、それぞれ複数回にわたって行なわれることになる。そうした場合、付箋画像の印刷位置や印刷色は、それぞれに予め用意された選択候補の中で循環的に変更される。
【００７４】
すなわち、ステップＳ１２における付箋画像の印刷位置の変更に関しては、例えば、付箋画像の印刷位置が、図８に示すように、印刷媒体Ｓの端辺に沿う方向で一方から他方に順に隣り合う５つの位置Ｐ１，Ｐ２，Ｐ３，Ｐ４，Ｐ５を選択候補として設定されるものとすると、ステップＳ２での印刷条件で付箋画像の印刷位置に設定された位置を起点に、・・・→Ｐ４→Ｐ５→Ｐ１→Ｐ２→Ｐ３→Ｐ４→Ｐ５→Ｐ１→Ｐ２→Ｐ３→・・・といった規則で循環的に変更される。
【００７５】
また、ステップＳ１３における付箋画像の印刷色の変更に関しては、例えば、付箋画像の印刷色が、水色、桃色、黄緑色、橙色の４色を選択候補として設定されるものとすると、ステップＳ２での印刷条件で付箋画像の印刷色に設定された色を起点に、・・・→黄緑色→橙色→水色→桃色→黄緑色→橙色→水色→桃色→・・・といった規則で循環的に変更される。
【００７６】
ステップＳ１２における印刷位置の変更やステップＳ１３における印刷色の変更を含めて、付箋画像の印刷条件の変更は制御部２０で行なう。
【００７７】
その後、付箋画像生成部２５で付箋画像を生成する（ステップＳ１４）。付箋画像生成部２５では、上記ステップＳ２で設定された付箋画像の印刷条件や、上記ステップＳ１２又はＳ１３で変更された付箋画像の印刷条件に基づいて、付箋画像を生成する。
【００７８】
次に、画像合成部２６で主印刷画像と付箋画像を合成する（ステップＳ１５）。画像合成部２６による画像の合成処理は、上記ステップＳ８からステップＳ１４までの処理の流れの中で、ステップＳ８で画像入力部２１により入力された主印刷画像に対して、ステップＳ１４で付箋画像生成部２５により生成された付箋画像を付加するかたちで、それら２つの画像を合成することにより行なわれる。また、主印刷画像が複数頁の画像で構成される場合は、その頁数に応じて主印刷画像と付箋画像の合成処理が繰り返される。例えば、主印刷画像が３頁の画像で構成される場合は、１頁目の主印刷画像に付箋画像を合成する処理と、２頁目の主印刷画像に付箋画像を合成する処理と、３頁目の主印刷画像に付箋画像を合成する処理が行われる。
【００７９】
次に、画像転送部２７では、ステップＳ１５で画像合成部２６により合成された合成画像（付箋画像付きの主印刷画像）を、上記ステップＳ１での印刷指示で指定された印刷装置２にネットワーク３を介して転送する（ステップＳ１６）。これにより、端末装置１から転送された印刷データを受信する印刷装置２では、付箋画像が付加された主印刷画像を印刷媒体に印刷することになる。
【００８０】
次に、上記ステップＳ１での印刷指示で指定されたすべての主印刷画像の転送を終えたかどうかを制御部２０で判断する（ステップＳ１７）。そして、すべての主印刷画像の転送を終えていない場合は、上記ステップＳ８に戻って同様の処理を繰り返し、すべての主印刷画像の転送を終えた場合は、その段階で一連の処理を終える。
【００８１】
図９は白黒印刷で印刷媒体に付箋画像を印刷した場合の出力例を示す図である。図９において、「ジョブ１」の文字列で付箋画像が印刷された印刷媒体（印刷物）と、「ジョブ２」の文字列で付箋画像が印刷された印刷媒体（印刷物）とを比較すると、付箋画像の印刷位置が、印刷媒体の端辺に沿う方向（図中、上下方向）で互いにずれている。このため、各ジョブの印刷媒体を重ねて束ねた場合は、付箋画像の印刷位置の変わり目が、印刷ジョブの変わり目を示すものとなる。
【００８２】
図１０は多色印刷で印刷媒体に付箋画像を印刷した場合の出力例を示す図である。図１０において、「ジョブ１」の文字列で付箋画像が印刷された印刷媒体（印刷物）と、「ジョブ２」の文字列で付箋画像が印刷された印刷媒体（印刷物）とを比較すると、ジョブ１の印刷媒体の付箋画像は桃色で印刷されているのに対し、ジョブ２の印刷媒体の付箋画像は水色で印刷されている。このため、各ジョブの印刷媒体を重ねて束ねた場合は、付箋画像の印刷色の変わり目が、印刷ジョブの変わり目を示すものとなる。
【００８３】
印刷形態が多色印刷の場合は、印刷ジョブ毎に付箋画像の印刷条件を変更するにあたって、付箋画像の印刷位置と印刷色の両方を変更してもよい。また、印刷の指示として、印刷媒体の両面に画像を印刷する「両面印刷」が指示された場合は、付箋画像の印刷条件に基づいて、印刷媒体の片面に付箋画像を印刷してもよいし、印刷媒体の両面に付箋画像を印刷してもよい。印刷媒体の両面に付箋画像を印刷する場合は、印刷媒体の表裏で付箋画像が重なるように印刷するのがよい。
【００８４】
また、印刷条件設定部２３で設定される付箋画像の印刷条件の項目の中に、付箋画像を付加する頁番号を、設定項目の一つとして追加してもよい。その場合、付箋画像を付加する頁番号は、例えば、「先頭頁」、「奇数頁」又は「偶数頁」などで設定するものでも、頁の範囲で設定するものでも、頁単位で一つずつ設定するものでもよい。また、印刷対象として複数個の主印刷画像が選択される場合は、付箋画像を付加する頁番号の設定条件を、各々の主印刷画像に共通に適用する構成であってもよいし、主印刷画像毎に付箋画像を付加する頁番号の設定を個別に行なう構成であってもよい。
【００８５】
付箋画像を付加する頁番号を、「先頭頁」で設定した場合は、一つの印刷ジョブ（主印刷画像）の中で先頭頁に該当する主印刷画像だけに付箋画像が付加して印刷され、「奇数頁」で設定した場合は、奇数頁に該当する主印刷画像だけに付箋画像が付加して印刷され、「偶数頁」で設定した場合は、偶数頁に該当する主印刷画像だけに付箋画像が付加して印刷されることになる。また、付箋画像を付加する頁番号を、Ａ頁からＢ頁までの範囲で設定した場合は、Ａ頁からＢ頁までに該当する主印刷画像だけに付箋画像が付加して印刷され、Ａ頁，Ｂ頁，Ｃ頁，Ｄ頁といった頁単位で設定した場合は、各々の頁に該当する主印刷画像だけに付箋画像が付加して印刷されることになる。
【００８６】
また、主印刷画像に付箋画像を付加して印刷する場合は、上述した印刷条件設定部２３において、主印刷画像の属性情報を付箋画像の印刷文字列として自動的に設定する構成としてもよい。主印刷画像の属性情報には、主印刷画像のデータをおさめた画像ファイルのファイル名、見出し語（タイトル）、作成者、作成日などの情報が含まれるため、そのうちのいずれか、好ましくはファイル名又は見出し語を付箋画像の印刷文字列に設定するとよい。図１１に主印刷画像の見出し語を付箋画像の印刷文字列に設定して印刷した場合の出力結果を示す。図１１においては、主印刷画像の見出し語となる「外部インタフェース」という文字列を含む付箋画像５１が印刷媒体５０に印刷されている。
【００８７】
また、本発明に係る画像処理装置は、上記の端末装置１に代えて、印刷装置２で実現してもよい。その場合は、上記図３に示す機能部において、画像合成部２６で合成された合成画像を転送する画像転送部２７に代えて、画像合成部２６で合成された合成画像を用紙等の印刷媒体に印刷する印刷手段（プリンタエンジン等）を備えた装置構成となる。
【００８８】
また、本発明に係る画像処理装置を印刷装置２で実現する場合は、端末装置１から転送される画像データだけでなく、図示しない記録媒体（例えば、メモリカードやＵＳＢメモリなど）から読み出した画像データを印刷する場合に適用してもよい。
【００８９】
また本発明は、文書の作成、編集、印刷などを行なうためのワードプロセッサ（ソフトウェア）上で実現してもよい。ワードプロセッサでは、一つの画像ファイルからなる主印刷画像が複数の章によって構成されている場合に、上記の印刷単位識別部２４が、一つの印刷ジョブ（画像ファイル）の中で印刷単位を章単位で識別する構成としてもよい。かかる構成を採用した場合は、主印刷画像の章毎に付箋画像の印刷条件を変更してもよい。
【００９０】
また、ワードプロセッサでは、上述のように一つの画像ファイルからなる主印刷画像が複数の章によって構成されている場合に、章毎に見出し語を保持するものとなる。そうした場合は、ワードプロセッサで主印刷画像の章毎に保持されている見出し語を、付箋画像の印刷文字列として自動的に設定する構成を採用してもよい。図１２に主印刷画像の各章の見出し語を付箋画像の印刷文字列に設定して印刷した場合の出力結果を示す。図１２ににおいては、主印刷画像の見出し語となる「１章」という文字列を含む付箋画像５１Ａと、「２章」という文字列を含む付箋画像５１Ｂが、それぞれに対応する章の印刷媒体５０Ａ，５０Ｂに印刷されている。
【００９１】
さらに本発明に係る画像処理装置を図示しないファクシミリ装置で実現してもよい。その場合は、主印刷画像となるファクシミリデータの受信単位を一つの印刷単位として、受信単位毎に付箋画像の印刷条件（印刷位置、印刷色など）を変更してもよい。
【図面の簡単な説明】
【００９２】
【図１】本発明が適用される画像処理システムの構成例を示す概略図である。
【図２】端末装置の構成例を示すブロック図である。
【図３】端末装置の機能的な構成を示すブロック図である。
【図４】印刷媒体を示す図である。
【図５】端末装置の処理手順を示すフローチャート（その１）である。
【図６】端末装置の処理手順を示すフローチャート（その２）である。
【図７】印刷条件の設定用画面を示す図である。
【図８】付箋画像の印刷位置のバリエーションを示す図である。
【図９】白黒印刷で印刷媒体に付箋画像を印刷した場合の出力例を示す図である。
【図１０】多色印刷で印刷媒体に付箋画像を印刷した場合の出力例を示す図である。
【図１１】主印刷画像の見出し語を付箋画像の印刷文字列に設定して印刷した場合の出力結果を示す図である。
【図１２】主印刷画像の各章の見出し語を付箋画像の印刷文字列に設定して印刷した場合の出力結果を示す図である。
【符号の説明】
【００９３】
１…端末装置、２…印刷装置、３…ネットワーク、２０…制御部、２１…画像入力部、２２…印刷指示受付部、２３…印刷条件設定部、２４…印刷単位識別部、２５…付箋画像生成部、２６…画像合成部、２７…画像転送部
【図１】
2009015559.tif 000003
【図２】
2009015559.tif 000004
【図３】
2009015559.tif 000005
【図４】
2009015559.tif 000006
【図５】
2009015559.tif 000007
【図６】
2009015559.tif 000008
【図７】
2009015559.tif 000009
【図８】
2009015559.tif 000010
【図９】
2009015559.tif 000011
【図１０】
2009015559.tif 000012
【図１１】
2009015559.tif 000013
【図１２】
2009015559.tif 000014